(57)【要約】      （修正有）【課題】少数波長時においても、主信号光断検出を正常に行うことができると共に、装置の初期立ち上げ時の高速化及び安定動作が図れる光伝送装置を提供する。【解決手段】光伝送路への出力光の波長数と各波長の光パワーをスペクトルアナライザ80で検出し、該波長数及び光パワーが所定範囲になるように高非線形ファイバへ出力されるスーパーコンティニューム光300のパワーを制御部81で制御する。該高非線形ファイバからの出力光の内、信号光に相当する波長成分をフィルタ70で除去し、フィルタ70の出力光と該信号光とを光カプラ50で合波する。【選択図】図１
2007274482.tif 000002
【特許請求の範囲】
【請求項１】
光伝送路への出力光の波長数と各波長の光パワーを検出するスペクトルアナライザと、
該波長数及び光パワーが所定範囲になるようにスーパーコンティニューム光源から出力される光パワーを制御する制御部と、
該スーパーコンティニューム光の内、信号光に相当する波長成分を除去するフィルタと、
該フィルタの出力光と該光伝送路への出力光とを合波するカプラと、
を備えたことを特徴とする光伝送装置。
【請求項２】
請求項１において、
該制御部が、高非線形ファイバと、該高非線形ファイバに光パルスを与えて該スーパーコンティニューム光を発生させるモード同期ファイバレーザと、該モード同期ファイバレーザに該波長数及び光パワーに基づいてポンプ光を光カプラを介して与えるポンプ光発生部とで構成されることを特徴とした光伝送装置。
【請求項３】
請求項１において、
該制御部が、高非線形ファイバと、該高非線形ファイバに光パルスを与えて一定の光パワーの該スーパーコンティニューム光を発生させる一定光パワー出力型のモード同期ファイバレーザと、該モード同期ファイバレーザと該高非線形ファイバとの間に接続されたエルビウムドープファイバと、該エルビウムドープファイバに該波長数及び光パワーに基づいてポンプ光を光カプラを介して与えるポンプ光発生部とで構成されることを特徴とした光伝送装置。
【請求項４】
請求項２又は３において、
該ポンプ光発生部が、複数のレーザダイオードと、これらのレーザダイオードの内の少なくとも1つを該波長数及び光パワーに基づいて選択して駆動電流を与える選択部と、該複数のレーザダイオードの出力を合波して該モード同期ファイバレーザに該ポンプ光として与える合波器とで構成されることを特徴とした光伝送装置。
【請求項５】
光伝送路への光出力の波長数と各波長の光パワーを検出するスペクトルアナライザと、
高非線形ファイバに接続された一定光出力型のモード同期ファイバレーザと、
該高非線形ファイバから出力される一定光パワーのスーパーコンティニューム光のパワーを、該波長数及び光パワーが所定範囲になるように制御する制御部と、
該制御部の出力光と該光伝送路への出力光とを合波するカプラと、
を備えたことを特徴とする光伝送装置。
【発明の詳細な説明】
【技術分野】
【０００１】
本発明は光伝送装置に関し、特に複数波長の信号光を波長分割多重して長距離伝送する光伝送装置に関するものである。
【背景技術】
【０００２】
図13は、従来から知られている波長分割多重(WDM)光伝送装置の一例を示したものである。この従来例では、同図(a)に示すように、各チャネルch1…の信号光を各送信トランスポンダ(TXP)10から受けた波長多重部(MUX)20は、それらの信号光を波長多重して光伝送路へ送出する。
【０００３】
この光伝送路には、図示の例では、エルビウムドープファイバ増幅器（以下、EDFAと略称することがある。）11〜15が直列接続されており、これらのEDFA11〜15の出力側にはそれぞれラマン増幅器(DRA、Distributed Raman Amplifier)（以下、DRAと略称することがある。）21〜24が接続されている。これにより、EDFA11〜15は、その出力信号光OS1〜OS5の信号光＋自然放出ASE(Amplified Spontaneous Emission)光のトータルパワー（同図(b)参照。）を一定にするALC(Auto Level Control)制御を行っている。なお、ASE光とは、上記のようにラマン増幅器21〜24を用いた多スパン（多段光増幅）型の波長多重伝送装置において自然放出される光である。また、ALCレベルは、一波当たりの出力レベル（固定）×波長数としている。
【０００４】
このようにして、光伝送路の受信側では、常に一定の光パワーに制御されている信号光OS5を受信した分離部(DMUX)30が、各チャネル毎に設けられた受信トランスポンダ(RXP)40に信号光を分離して出力することとなる。
【０００５】
なお、光アド・ドロップシステムにおいて、ブランチ局から送信される光信号と端局から送信されてきた光信号とがブランチングユニットで合波される場合、双方の光パワーレベルが異なると光パワーレベルの低いほうのS/N比が劣化し、システムのパフォーマンスが悪くなることに着目し、ブランチ局からダミー光を光信号とともに送信してやり、光信号の光パワーレベルを調整するか、或いは、ブランチングユニットに光アッテネータや能動的光信号レベル調整装置を設けて、光信号がアドされる場合に、アドされる双方の光信号のレベルを等しくなるように調整する光通信システムがある（例えば、特許文献1参照。）。
【０００６】
また、光送信端局が、波長の信号光を合波可能なアレイ導波路格子(AWG)を具備し、そのチャネルの入力ポートにそれぞれ光送信器の出力信号光が入力され、ダミー光として、AWGのチャネルの入力ポートにそれぞれ、入力光無しの光増幅器の出力光が入力され、AWGは、チャネルの入力光を合波し、その合波光は光増幅器及び光ファイバ伝送路を介して、光受信端局の光増幅器に入力し、光増幅器は光ファイバ伝送路からの光を増幅してAWGに印加し、AWGは、光増幅器の出力光をチャネルの各波長成分に分離し、AWGのチャネルの出力光がそれぞれ、光受信器に入力される光伝送システム及び光送信装置がある（例えば、特許文献2参照。）。
【０００７】
また、波長分割多重用に設計された光伝送路の伝送波長帯を複数のサブバンドに区分し、サブバンドを伝送単位として、信号光又はASEダミー光を伝送すると共に、光伝送路の設計上の利得プロファイルを満たすように、複数のサブバンドにASEダミー光を割り当てる光伝送方法及び光送信装置がある（例えば、特許文献3参照。）。
【０００８】
さらに、各光送信器毎に送出される信号光の波長とレベルを常に監視し、異常を検知した場合には、予備光源から、上記信号光の正常時と同じ波長、同じレベルの連続光を送出することにより、隣接する信号光との干渉や他の信号光のレベル変化を防止することができる光送信器、波長多重光送信器、及び光伝送方法がある（例えば、特許文献4参照。）。
【特許文献１】特開平10-150433号公報
【特許文献２】特開2002-51008号公報
【特許文献３】特開2005-51596号公報
【特許文献４】特開平11-284574号公報
【発明の開示】
【発明が解決しようとする課題】
【０００９】
図13に示すようなラマン増幅器21〜24を用いた波長多重光伝送装置においては、同図(b)に示すような例えばチャネルch1のみの少数波長時において、そのチャネルch1の主信号光100に比べて自然放出ASE光200の雑音成分が存在し、これが多スパンの光伝送路を伝送して行くと、同図(c)に示すように、自然ラマン散乱ASS（Amplified Spontaneous Raman Scattering）光210が発生することになり、受信側における光SN比を劣化させるという問題がある。
【００１０】
これに対して、少数波長動作時にASE光200に対して、各スパンの光アンプ出力値を増加させ、信号光の減少を回避するためのASE補正制御が同図(d)に示すように行われているが、この場合、各EDFA11〜15においては、前段の出力補正量を基に自分自身の出力補正量を算出して出力に反映させているため、EDFAの段数が増加すると、初期立ち上げ時に時間がかかるという課題があった。
【００１１】
また、図14(a)に示すように、多数波長時においては、信号光OSに対するASE光＋ASS光の割合は低く、伝送装置が補正制御する場合、すなわち、伝送装置が見積もる雑音光（同図(a1)）と、実際に伝送路で発生する雑音光（同図(a2)）との誤差があったとしても、信号光OSが喪失した場合に、雑音光が信号光断検出閾値Th1を超える可能性が少なく、信号光の喪失、すなわち、主信号断を誤って検出する可能性は低い。
【００１２】
これに対して、同図(b)に示す少数波長時においては、信号光OSに対するASE光＋ASS光の割合が高くなり、伝送装置内で見積もる雑音光（同図（b1)）と、実際に伝送路で発生する雑音光（同図（b2)）との光パワーの誤差が、多数波長時と同じであったとしても、動作条件によっては信号光OSが入力断状態となった場合、ASE光＋ASS光の光パワーが信号光断検出閾値Th2を下回らずに信号光の断検出ができず、光出力安全制御(APSD:Automatic Power Shutdown)が動作しなくなってしまう。
【００１３】
すなわち、ファイバ種類は同じでも、ラマン増幅器から見た伝送路の条件（損失係数、局所損失等）は初回測定データと実際の伝送路では異なるため、特に少数波長時は図14に示したように信号光レベルに比べてASS光発生量が十分小さくない条件でレーザダイオードを出力制御する場合があるため、信号断検出精度及びトータルパワー制御精度を著しく悪化させていた。これに伴いASS光量が信号断検出閾値に比べて大きくなる動作状態が存在するために、動作条件によっては信号断検出閾値が悪く、信号が入力断となってもASS光が閾値を下回らずに信号断を検出せず光出力安全制御ができない場合があった。
【００１４】
従って、本発明は、少数波長時においても、信号光断検出を正常に行うことができると共に、装置の初期立ち上げ時の高速化及び安定化が図れる光伝送装置を提供することを目的とする。
【課題を解決するための手段】
【００１５】
上記の課題を達成するため、本発明の一態様に係る光伝送装置は、光伝送路への出力光の波長数と各波長の光パワーを検出するスペクトルアナライザと、該波長数及び光パワーが所定範囲になるようにスーパーコンティニューム光源から出力される光パワーを制御する制御部と、該スーパーコンティニューム光の内、信号光に相当する波長成分を除去するフィルタと、該フィルタの出力光と該光伝送路への出力光とを合波するカプラと、を備えたことを特徴としている。
【００１６】
このような光伝送装置の原理を図1を参照して以下に説明する。
【００１７】
図1(a)に示す光伝送系統は、図13(a)に示した従来例と同様であるが、この光伝送系統において、送信側の波長多重部20とEDFA11との間に光カプラ50を挿入し、スペクトルアナライザ80と制御部81とフィルタ70によってダミー光400を生成して光カプラ50に挿入する構成が付加されている。
【００１８】
すなわち、EDFA11の出力側には、波長に応じた光パワー測定手段としてのスペクトルアナライザ80が接続され、EDFA11の出力光における波長数と各波長の光パワーとがスペクトルアナライザ80によって検出されて制御部81に送られる。制御部81は、スーパーコンティニューム(SC:Super Continuum)光源60を含む。このスーパーコンティニューム光源60はさらに高非線形ファイバ（図示せず）を含み、この高非線形ファイバからスーパーコンティニューム光（以下、単にSC光と称することがある。）300がフィルタ70に与えられる。制御部81は、スペクトルアナライザ80で検出された波長数と各波長の光パワーが所定範囲になるようにSC光源60からのスーパーコンティニューム光300の出力光パワーを制御する。
【００１９】
この結果、SC光源60からのSC光300は、図1(b)に示すように、広い波長帯域に渡って光パワーが存在する。フィルタ70ではこれを各波長成分に分離して、この内、波長多重部20から供給される主信号光、例えば図1(a)におけるチャネルch1の信号光に相当する部分（帯域）を除去することにより、図1(c)に示すようなダミー光400を生成し、光カプラ50に与える。
【００２０】
この結果、図1(d)に示すように、EDFA11から出力される出力光においては主信号光(ch1)100とダミー光400とが含まれる。従って、このような出力光が伝送路を伝わってEDFA15から出力されて受信側に送られる際には、ダミー光400の存在により、主信号光100は、図1(e)に示すように、ASE光＋ASS光に対する光SN比が劣化しない状態となる。つまり、伝送すべき主信号は1波長(ch1)と少数であるが、ダミー光により、伝送されるのは図1(d)に示すように多数波長であるので、図14(a)の状態となり、光SN比の劣化が抑圧され、また、主信号断の検出も確実にできることとなる。
【００２１】
ここで、上記の制御部は、高非線形ファイバと、該高非線形ファイバに光パルスを与えて該スーパーコンティニューム光を発生させるモード同期ファイバレーザと、該モード同期ファイバレーザに該波長数及び光パワーに基づいてポンプ光を光カプラを介して与えるポンプ光発生部とで構成することができる。
【００２２】
すなわち、モード同期ファイバレーザへのポンプ光のパワーを制御することでスーパーコンティニューム光の出力波長帯域（波長数に対応）と光パワーとを制御し、以って、該波長数及び光パワーに対応したポンプ光をダミー光400として光カプラ50に与えることができる。
【００２３】
または、上記の制御部を、高非線形ファイバと、該高非線形ファイバに光パルスを与えて該スーパーコンティニューム光を発生させる一定光パワー出力型のモード同期ファイバレーザと、該モード同期ファイバレーザと該高非線形ファイバとの間に接続されたエルビウムドープファイバと、該エルビウムドープファイバに該波長数及び光パワーに基づいてポンプ光を光カプラを介して与えるポンプ光発生部とで構成することもできる。
【００２４】
この場合には、モード同期ファイバレーザの光出力パワーは一定のものを用い、このモード同期ファイバレーザからエルビウムドープファイバへ出力された光に対してポンプ光のパワーを制御することで、より多い波長数のダミー光400を生成して光カプラ50に与えることができる。
【００２５】
さらに、上記のポンプ光発生部は、複数のレーザダイオードと、これらのレーザダイオードの内の少なくとも1つを該波長数及び光パワーに基づいて選択して駆動電流を与える選択部と、該複数のレーザダイオードの出力を合波して該モード同期ファイバレーザに与える合波器とで構成することができる。
【００２６】
このポンプ光発生部は、該波長数及び光パワーに応じて、1つ又は複数のレーザダイオードの駆動電流を制御することにより、モード同期ファイバレーザ又はエルビウムドープファイバへのポンプ光のパワーを変化させることができる。
【００２７】
また、本発明の別の態様に係る光伝送装置は、光伝送路への光出力の波長数と各波長の光パワーを検出するスペクトルアナライザと、高非線形ファイバに接続された一定光パワー出力型のモード同期ファイバレーザと、該高非線形ファイバから出力される一定光パワーのスーパーコンティニューム光のパワーを、該波長数及び光パワーが所定範囲になるように制御する制御部と、で構成することができる。
【００２８】
この場合には、モード同期ファイバレーザの出力光パワーを一定とし、高非線形ファイバから出力された一定光パワーのスーパーコンティニューム光を制御部において該波長数及び光パワーが所定範囲になるように制御している。
【００２９】
この場合の制御部は、信号光よりも波長数が多く且つ該信号光に相当する波長成分を除去するように各波長の光パワーの減衰量を制御することができる。
【発明の効果】
【００３０】
以上のように本発明に係る光伝送装置によれば、従来、少数波長時に信号光に対してASE光の比率が大きいために光SN劣化を改善するために行っていたASE補正制御が不要となり、少数波長時の初期装置立ち上げの高速化及び伝送特性安定化を図ることができる。また少数波長時においても信号断を確実に行うことが可能となり、装置の安全性を高める効果がある。
【発明を実施するための最良の形態】
【００３１】
◎実施例[1]:図2〜図9
図2は、図1に原理的に示した本発明に係る光伝送装置の実施例[1]を示し、特に、図1における光カプラ50へダミー光400を合波するための構成例を示している。
【００３２】
すなわち、この実施例[1]では、ダミー光400を生成するために、図1にも示したように、スペクトルアナライザ80と制御部81とフィルタ70から成る直列回路を設けているが、この内の制御部81は、スペクトルアナライザ80の出力を受信するポンプ光発生部82と、このポンプ光発生部82からのポンプ光を受けてスーパーコンティニューム光の光パワーを変動させるモード同期ファイバレーザ83及び高非線形ファイバ84とを備えている。モード同期ファイバレーザ83及び高非線形ファイバ84で図1に示したスーパーコンティニューム光源60を形成している。また、フィルタ70は、高非線形ファイバ84と光カプラ50との間に一対のアレイ導波路格子(AWG:Arrayed Waveguide Grating)を接続したものである。
【００３３】
上記の制御部81の構成例が図3に具体的に示されている。この構成例では、ポンプ光発生部82は、複数個nのレーザダイオード(LD1〜LDn)82_2を備え、これらのレーザダイオード82_2の1つ以上を選択するためのLD選択部82_1と、レーザダイオード82_2の出力を合波する合波器82_3とで構成されている。
【００３４】
また、モード同期ファイバレーザ83は、エルビウムドープファイバ(EDF)83_1とファラデー回転子ミラー（FRミラー）83_2と半導体可飽和吸収ミラー(SESAM)83_3とで共振器を構成している。そしてEDF83_1とSESAM83_3との間には、コリメータ(FC/APC)83_5とレンズ83_6とファラデー回転子(FR)83_7と偏向依存型ビームスプリッタ(PBS)83_8とλ/4板83_9とレンズ83_10とを挿入し、PBS83_8からパルス出力を取り出し、高非線形ファイバ84へ送ることによりスーパーコンティニューム光(SC光)を発生させている。
【００３５】
このようなモード同期ファイバレーザ83のEDF83_1とコリメータ83_5との間には光カプラ83_4が設けられており、ポンプ光発生部82の合波器82_3からの出力光をポンピング光として注入している。
【００３６】
すなわち、モード同期ファイバレーザ83から出力されるパルスを高非線形ファイバ84に入射することにより、この高非線形ファイバ84で起きる非線形効果によりスペクトルが超広帯域に広げられたSC光となり、高輝度・超広帯域で、出力も微小な光ファイバから出力される実用的な光源となる。
【００３７】
また、モード同期ファイバレーザ83のモード同期は、FRミラー83_2からSESAM83_3までの共振器の長さによって決まる基本繰り返し周波数の整数倍の変調を与えることで得られるが、この整数倍の変調を与える方法としては、非線形偏波回転を利用するか、或いは、電気光変調器や音響光変調器等を用いてもよい。
【００３８】
・制御例(1):図4及び図5
図4は、本実施例[1]の制御例(1)を原理的に示したものである。なお、この例では、ポンプ光発生部82において、LD選択部82_1が1個のレーザダイオードLD1のみを選択した場合を示している。
【００３９】
SC光の生成メカニズムは、光ファイバ中の非線形光学効果と分散効果が密接に関わっており、モード同期ファイバレーザから高非線形ファイバへのパルスの光パワーに応じてSC光の帯域が変化することが知られている（同図(a)）。
【００４０】
これから分るように、モード同期ファイバレーザ83の光出力パワーが小さいとき（同図(b)）には、これをフィルタ70を通すと、同図(d)に示すように、擬似波長スペクトルは波長数が少なく、SC光の波長帯域が狭い形になっているが、光出力パワーを大きくする（同図(c)）と、同図(e)に示すように波長数が増加してSC光の波長帯域が広がる。
【００４１】
従って、このようなSC光の波長帯域制御を利用して、波長数を多くすれば、図1に示した光伝送路における波長数は、主信号光の波長数が少なくてもこれを補填することで光パワーが大きくなり、図14(b)に示した信号光断閾値の問題が解消される。
【００４２】
このような制御例(1)を適用したときの図2の実施例[1]の動作フローチャートが図5(1)に示されている。すなわち、スペクトルアナライザ80は、EDFA11の出力光に含まれる波長数λo（波長λ1〜λi（i=1〜max））及びこれらの波長λ1〜λiの各々の光パワーP1〜Pi（i=1〜max）を検出する（ステップS1）。ポンプ光発生部82におけるLD選択部82_1は、この波長数λoが適正か否か、すなわち、λo≧λthか否かを判定する（ステップS2）。なお、λthは光断検出に必要な最低波長数である。この結果、波長数が適正であることが分ったときには、LD選択部82_1はレーザダイオード82_2に対して制御を行わない（ステップS3）。ここで、検出した波長数λoが、同図(2)に示す装置の最大波長数λmaxを超えることは通常無いが、λo≧λmaxになるような異常な場合も想定するのであれば、レーザダイオード82_2の出力を下げるようにその駆動電流を減少させればよい。
【００４３】
一方、波長数が適正でない（λo＜λth）ことが分ったときには、LD選択部82_1は、n個のレーザダイオード82_2中の1つのレーザダイオードLD1を選択して（図4(a)）、その出力パワーを増加するように駆動電流を増加する（ステップS4）。
【００４４】
このようにレーザダイオードLD1の光パワーを増加した結果、スペクトルアナライザ80で再び検出された波長数λo及び各波長λ1〜λiの光パワーP1〜Piが適正か否かを再び判定する（ステップS5）。これは、λo≧λth及びPth-max≧P1〜Pi≧Pth-minの両方が成立するか否かによって判定する。なお、図5(2)に示すように、Pth-maxは各波長の最大光レベルを示し、Pth-minは各波長の最光小光レベルを示している。
【００４５】
この結果、波長数λo及び光パワーP1〜Piが適正であることが分ったときには、このルーチンを終了するが、そうでないときには再びステップS4に戻ってレーザダイオードLD1の光出力パワーを増加させる。
【００４６】
このようにして、ステップS5において波長数及び光パワーが適正であることが判定されるまでレーザダイオードLD1の光出力パワーを増加することになる。図示の例では、最終的にPi＝PmaxまでステップS4〜S5を繰り返すことになる。
【００４７】
このように、ポンプ光発生部82からの光パワーを変化させることにより、モード同期ファイバレーザ83及び高非線形ファイバ84を経由して出力されるSC光300は、図4(b)及び(c)に示すように波長数が制御された形でフィルタ70に与えられる。
【００４８】
このフィルタ70においては、例えば図4(c)に示すように光パワーが大きくなった結果、波長数（波長帯域）の一部に、波長多重部20から出力される信号光の波長帯域を含むことがある。従って、この波長帯域は予め分っているので、フィルタ70で除くことにより、図1(d)に示すように主信号光100とダミー光400とが、互いに重ならない状態で合成された出力光が光カプラ50から出力されてEDFA11に与えられることとなる。なお、フィルタ70のAWG71は入力したSC光300の波長成分の分離部を構成し、AWG72はその多重部を構成する。
【００４９】
・制御例(2):図6〜図8
図6は、本実施例[1]の制御例(2)を示している。この制御例(2)の場合には、上記の制御例(1)が、図4(a)に示したように単一のレーザダイオードLD1を制御することにより光パワーを変化させているのに対し、複数個のレーザダイオード（ここでは2個のレーザダイオードLD1及びLD2）を選択して、これらのレーザダイオードによって、ダミー光の波長数を増加させようとするものである。
【００５０】
すなわち、ポンプ光発生部82のLD選択部82_1が、スペクトルアナライザ80の出力（波長数と光パワー）に応じて2つのレーザダイオードLD1及びLD2を選択したとき、レーザダイオードLD1によるSC光の光パワー特性は同図(b)に示すようになり、これをフィルタ70を通すと同図(d)に示すような擬似波長スペクトルを呈する。同様にしてレーザダイオードLD2によるSC光は同図(c)の特性を与えるものであり、両者のレーザダイオードLD1及びLD2を重ね合わせたSC光による擬似波長スペクトルは同図(e)に示すように、レーザダイオードLD1とLD2による擬似波長スペクトルを合わせたような特性を示すことが分る。
【００５１】
図7は、スペクトルアナライザ80でモニタされる制御例(2)の波形を示したもので、同図(1)のCバンドは、図6(b)に示したレーザダイオードLD1による波形を示し、同図(2)に示すLバンドは同図(c)に示したレーザダイオードLD2による波形を示している。その他の点は、図5(2)の波形図と同様である。
【００５２】
このような制御例(2)のフローチャートが図8に示されている。このフローチャートにおける同図(1)のフローチャートはレーザダイオードLD1によるCバンドに対する制御を示し、ステップS11〜S15は図5(1)のステップS1〜S5に対応している。また、同図(2)のフローはレーザダイオードLD2によるLバンドに対する制御を示し、ステップS21〜S25も図5(1)のステップS1〜S5に対応している。
【００５３】
すなわち、同図(1)に示すCバンド制御においては、レーザダイオードLD1の波長数λo及びその各波長の光パワーP1〜Pi（最終的にP1〜Pmax）が適正な値となるように制御し、同様に同図(2)においては、Lバンドの制御を行うため、レーザダイオードLD2の波長数λo及びその各波長の光パワーP1〜Pi（最終的にP1〜Pmax）が適正となるように制御するものである。なお、その他の各処理は、図5(1)に示した制御例(1)のフローチャートと同様である。
【００５４】
このようにしてレーザダイオードLD1がCバンドの波長帯域、レーザダイオードLD2がLバンドの波長帯域をカバーする場合、レーザダイオードLD1+LD2の双方を制御することによりCバンド＋Lバンドの全帯域をカバーすることが可能となる。
【００５５】
◎実施例[2]:図9及び図10
この実施例は、上記の実施例[1]による制御部81において、モード同期ファイバレーザ83と高非線形ファイバ84との間に光カプラ50とEDF93とを挿入すると共に、光カプラ50に対してポンプ光発生部82を接続してポンプ光を注入するようにした点が異なっている。この場合のモード同期ファイバレーザ83は一定ポンプ光による固定出力型のものである。
【００５６】
この実施例[2]の制御フローが図10に示されている。この制御フローにおけるステップS31〜S35は、基本的には図5(1)におけるステップS1〜S5に対応し、単一のレーザダイオードLD1を制御する場合と同様の処理になる。ただし、ステップS34において、レーザダイオードLD1〜LDnの内の少なくとも1つの光出力レベルを増加させて光カプラ50に与えてEDF93からの出力光と合波する。これは、上記の実施例[1]の制御例(2)と同様である。このとき、モード同期ファイバレーザEDF93からの一定の光出力パワーがEDF93でラマン増幅効果を受けることにより高非線形ファイバ84への入力パワーを制御している。
【００５７】
◎実施例[3]:図11及び図12
この実施例[3]の場合には、制御部81が、モード同期ファイバレーザ83と高非線形ファイバ84とで構成され、上記の実施例[1]及び[2]のようにポンプ光発生部が用いられず、その代わりに、フィルタ700とVOA制御部74とを用いて制御部を形成している。フィルタ700はさらにAWG71−72間に可変光減衰器(VOA:Variable Optical Attenuator)73を、送信トランスポンダ10におけるn個のチャネルch1〜chnに対応して設け、これらの可変光減衰器(VOA)73をVOA制御部84によって制御する点が異なっている。
【００５８】
この実施例[3]の制御フローが図12に示されている。この制御フローも、基本的にはステップS41〜45は図5(1)に示すステップS1〜5に対応しているが、ただし、モード同期ファイバレーザ60から高非線形ファイバ84を経由して出力されたSC光300の帯域幅を、ステップS43又はS44において該当する波長の光パワーを削減するか、或いは増加するかの制御を行っている点が異なっている。従って、これらのステップS43又はS44において任意の主信号の波長数に応じて波長数（擬似波長帯域）を制御することができるようにしている。
【００５９】
なお、可変光減衰器(VOA)の代わりに、光スイッチや半導体増幅器(SOA)を用いて個々の波長の光レベルを制御してもよい。
【００６０】
なお、本発明は、上記実施例によって限定されるものではなく、特許請求の範囲の記載に基づき、当業者によって種々の変更が可能なことは明らかである。
【００６１】
（付記１）
光伝送路への出力光の波長数と各波長の光パワーを検出するスペクトルアナライザと、
該波長数及び光パワーが所定範囲になるようにスーパーコンティニューム光源から出力される光パワーを制御する制御部と、
該スーパーコンティニューム光の内、信号光に相当する波長成分を除去するフィルタと、
該フィルタの出力光と該光伝送路への出力光とを合波するカプラと、
を備えたことを特徴とする光伝送装置。
（付記２）付記１において、
該制御部が、高非線形ファイバと、該高非線形ファイバに光パルスを与えて該スーパーコンティニューム光を発生させるモード同期ファイバレーザと、該モード同期ファイバレーザに該波長数及び光パワーに基づいてポンプ光を光カプラを介して与えるポンプ光発生部とで構成されることを特徴とした光伝送装置。
（付記３）付記１において、
該制御部が、高非線形ファイバと、該高非線形ファイバに光パルスを与えて一定の光パワーの該スーパーコンティニューム光を発生させる一定光パワー出力型のモード同期ファイバレーザと、該モード同期ファイバレーザと該高非線形ファイバとの間に接続されたエルビウムドープファイバと、該エルビウムドープファイバに該波長数及び光パワーに基づいてポンプ光を光カプラを介して与えるポンプ光発生部とで構成されることを特徴とした光伝送装置。
（付記４）付記２又は３において、
該ポンプ光発生部が、複数のレーザダイオードと、これらのレーザダイオードの内の少なくとも1つを該波長数及び光パワーに基づいて選択して駆動電流を与える選択部と、該複数のレーザダイオードの出力を合波して該モード同期ファイバレーザに該ポンプ光として与える合波器とで構成されることを特徴とした光伝送装置。
（付記５）
光伝送路への光出力の波長数と各波長の光パワーを検出するスペクトルアナライザと、
高非線形ファイバに接続された一定光出力型のモード同期ファイバレーザと、
該高非線形ファイバから出力される一定光パワーのスーパーコンティニューム光のパワーを、該波長数及び光パワーが所定範囲になるように制御する制御部と、
該制御部の出力光と該光伝送路への出力光とを合波するカプラと、
を備えたことを特徴とする光伝送装置。
（付記６）付記５において、
該制御部が、該高非線形ファイバからのスーパーコンティニューム光の波長成分を取り出すフィルタと、信号光よりも波長数が多く且つ該信号光に相当する波長成分を除去するように該フィルタから出力された各波長の光パワーの減衰量を制御することを特徴とした光伝送装置。
（付記７）付記１から６のいずれか１つにおいて、
該所定範囲は、該波長数が光断検出のための最低波長数以上の範囲であり、該光パワーが各波長の最大−最小光レベル間の範囲で在ることを特徴とした光伝送装置。
【図面の簡単な説明】
【００６２】
【図１】本発明に係る光伝送装置の原理を説明するための図である。
【図２】本発明に係る光伝送装置の実施例[1]を示したブロック図である。
【図３】本発明の実施例[1]における制御部の構成例を示したブロック図である。
【図４】本発明の実施例[1]の制御例(1)を原理的に示した波形図である。
【図５】本発明の実施例[1]の制御例(1)のフローチャート及びモニタ波形を示した図である。
【図６】本発明の実施例[1]の制御例(2)を原理的に示した波形図である。
【図７】本発明の実施例[1]の制御例(2)のスペクトルアナライザでモニタされる波形を示した図である。
【図８】本発明の実施例[1]の制御例(2)のフローチャート図である。
【図９】本発明に係る光伝送装置の実施例[2]を示したブロック図である。
【図１０】本発明の実施例[2]の制御フローチャート図である。
【図１１】本発明に係る光伝送装置の実施例[3]を示したブロック図である。
【図１２】本発明の実施例[3]の制御フローチャート図である。
【図１３】従来の光伝送装置の構成例を示したブロック図である。
【図１４】従来技術における主信号光断検出の場合の課題を説明するためのグラフ図である。
【符号の説明】
【００６３】
10  送信トランスポンダ(TXP)
11〜15  エルビウムドープファイバ増幅器(EDFA)
20  波長多重部(MUX)
21〜24  ラマン増幅器(DRA)
30  波長分離部(DMUX)
40  受信トランスポンダ(RXP)
50, 51, 83_4  光カプラ
60  スーパーコンティニューム(SC)光源
70, 700  フィルタ
71, 72  AWG
73  可変光減衰器(VOA)
74  VOA制御部
80  スペクトルアナライザ
81  制御部
82  ポンプ光発生部
82_1  LD選択部
82_2  レーザダイオード(LD1〜LDn)
82_3  合波器
83  モード同期ファイバレーザ
83_1, 93  エルビウムドープファイバ(EDF)
83_2  ファラデー回転子ミラー（FRミラー)
83_3  半導体可飽和吸収ミラー(SESAM)
83_5  コリメータ(FC/APC)
83_6, 83_10  レンズ
83_7  ファラデー回転子(FR)
83_8  偏向依存型ビームスプリッタ(PBS)
83_9  λ/4板
84  高非線形ファイバ
100  主信号光
200  ASE光
210  ASS光
300  SC光
400  ダミー光
図中、同一符号は同一又は相当部分を示す。
【図１】
2007274482.tif 000003
【図２】
2007274482.tif 000004
【図３】
2007274482.tif 000005
【図４】
2007274482.tif 000006
【図５】
2007274482.tif 000007
【図６】
2007274482.tif 000008
【図７】
2007274482.tif 000009
【図８】
2007274482.tif 000010
【図９】
2007274482.tif 000011
【図１０】
2007274482.tif 000012
【図１１】
2007274482.tif 000013
【図１２】
2007274482.tif 000014
【図１３】
2007274482.tif 000015
【図１４】
2007274482.tif 000016